(57)【要約】  【課題】中央役物の上方向への拡大化を阻害することなく遊技盤を最大限に有効利用することができ、遊技者の興趣を高めることができるパチンコ遊技機を提供する。  【解決手段】上下左右側枠体２６〜２９により方形枠状に形成される外枠１と、前記外枠１の前面にヒンジ機構３を介して開閉自在に装着される中枠２と、前記中枠２に装着される遊技盤４と、遊技球を貸球又は賞球として払出す払出手段１２とを備えたパチンコ遊技機であって、前記上枠体２６に遊技球を所定量貯留する貯留部３１を形成すると共に遊技球を整流して前記払出手段１２に供給する整流路３４を設けた。  【選択図】    図３
2007130302.tif 000002
【特許請求の範囲】
【請求項１】
上下左右側枠体により方形枠状に形成される外枠と、前記外枠の前面にヒンジ機構を介して開閉自在に装着される中枠と、前記中枠に装着される遊技盤と、遊技球を貸球又は賞球として払出す払出手段とを備えたパチンコ遊技機であって、
前記上枠体に遊技球を所定量貯留する貯留部を形成すると共に遊技球を整流して前記払出手段に供給する整流路を設けたことを特徴とするパチンコ遊技機。
【請求項２】
上下左右側枠体により方形枠状に形成される外枠と、前記外枠の前面にヒンジ機構を介して開閉自在に装着される中枠と、前記中枠に装着される遊技盤と、遊技球を貸球又は賞球として払出す払出手段とを備えたパチンコ遊技機であって、
前記上枠体に遊技球を所定量貯留する貯留部を形成し、前記左右側枠体の少なくとも一方に前記貯留部と連通する供給通路樋を設けると共に該供給通路樋の下方に前記払出手段を設けたことを特徴とするパチンコ遊技機。
【請求項３】
前記貯留部に遊技球の補給経路から遊技球を補給する補給管を接続する接続口を設けたことを特徴とする請求項１又は２記載のパチンコ遊技機。
【発明の詳細な説明】
【技術分野】
【０００１】
本発明はパチンコ遊技機に関し、特に払出手段に供給する遊技球を所定量貯留する貯留部を備えたパチンコ遊技機に関する。
【背景技術】
【０００２】
従来のパチンコ遊技機は、外枠に遊技盤を備えた中枠が開閉自在に設けられると共にその前面に遊技盤を視認し得る開口窓にガラス板を装着したガラス扉枠が蝶着されている。また、中枠の裏面には所定量の遊技球を貯留する球タンク及び球タンクの遊技球を賞球又は貸球として払出す球払出装置等の機構部品を備えた機構板が装着されている。そして、遊技盤の遊技領域には液晶表示器等の中央役物，入賞口が配置されると共に障碍釘が打設され、入賞口への入賞により球払出装置から賞球が払出されるようになっている。近年では遊技の趣向性をさらに高めるために中央役物を大型化したパチンコ遊技機が提案されている（例えば、特許文献１参照。）。
【０００３】
しかし、遊技盤の後方に突出する中央役物を大型化するには機構部品が邪魔になるため、中央役物の拡大化に対応するように遊技盤取付枠の枠部材の枠幅内に景品球払出機構を設けたパチンコ遊技機が提案されている（例えば、特許文献２参照。）。
【０００４】
【特許文献１】特開２００１−２０４９０８号公報
【特許文献２】特開平７−３１７３９号公報
【発明の開示】
【発明が解決しようとする課題】
【０００５】
しかしながら、特許文献２に示すパチンコ遊技機は、中央役物の横方向の拡大化には対応できるものの、所定量の遊技球を貯留する球タンクが遊技盤の裏面上方を占有して設けられているため、どうしても遊技盤の上方向への拡大には限度があった。そのため、遊技の趣向性をさらに高めるために要望される中央役物の上方向への大型化に対応することができなかった。
【０００６】
本発明はこのような従来技術の問題点を解消する遊技機を提供するものであって、その目的は、中央役物の上方向への拡大化を阻害することなく遊技盤を最大限に有効利用することができ、遊技者の興趣を高めることができるパチンコ遊技機を提供することにある。
【課題を解決するための手段】
【０００７】
本発明の請求項１の発明は、上下左右側枠体により方形枠状に形成される外枠と、前記外枠の前面にヒンジ機構を介して開閉自在に装着される中枠と、前記中枠に装着される遊技盤と、遊技球を貸球又は賞球として払出す払出手段とを備えたパチンコ遊技機であって、前記上枠体に遊技球を所定量貯留する貯留部を形成すると共に遊技球を整流して前記払出手段に供給する整流路を設けたことを特徴とする。
【０００８】
請求項２記載の発明は、上下左右側枠体により方形枠状に形成される外枠と、前記外枠の前面にヒンジ機構を介して開閉自在に装着される中枠と、前記中枠に装着される遊技盤と、遊技球を貸球又は賞球として払出す払出手段とを備えたパチンコ遊技機であって、前記上枠体に遊技球を所定量貯留する貯留部を形成し、前記左右側枠体の少なくとも一方に前記貯留部と連通する供給通路樋を設けると共に該供給通路樋の下方に前記払出手段を設けたことを特徴とする。ここでいう「枠体に払出手段を設ける」とは、枠体となるベースに払出手段を備えたケース体を設けることはいうまでもなく、払出手段を備えたケース体自体が枠体となることを含むものである。
【０００９】
請求項３記載の発明は、請求項１又は２記載の発明において、前記貯留部に遊技球の補給経路から遊技球を補給する補給管を接続する接続口を設けたことを特徴とする。接続口は貯留部の後側壁に設けるのがよい。
【００１０】
前記貯留部の球切れを検知する検知手段を設けるのが好ましい。検知手段は、例えば整流路を貯留部に揺動自在に設けると共に整流路を球荷重により下動するようにまきバネ等の付勢部材で付勢し、さらに整流路の揺動を検知するセンサを設けて構成すればよい。整流路が球荷重から解放されることにより付勢部材の付勢で上動し球切れを検知することができる。
【００１１】
前記上枠体にパチンコ遊技機をホールに設置するための設置用固定部を設けるのがよい。設置用固定部は打釘可能とするのが好ましく、パチンコ遊技機を打釘によりホールに設置することができる。
【００１２】
前記上下左右側枠体の少なくともいずれかの枠体に電源，遊技動作，効果音，電飾，遊技媒体の払出し等を制御する基板の少なくとも１つの基板を収納する収納空間部を形成するのが好ましく、さらに基板の実装面が視認可能なカバー体で被覆するのがよい。
【００１３】
前記側枠体のベースに基板の取付部を設けると共に該取付部に基板を取付け、前記基板が視認可能に構成されたカバー体で被覆し封止するようにしてもよい。ベースは金属ベースが好ましく、強固で確実に基板を保護することができると共に静電気の弊害を防ぐことができる。
【００１４】
前記中枠に払出手段から払出された遊技球を貯留皿に導く誘導樋を設けると共に、払出手段を設けた側枠体に中枠の閉鎖時に誘導樋に連通し払出手段から払出された遊技球を誘導樋に導く導出口を設け、前記導出口と前記誘導樋の連通部に中枠を開放し誘導樋が導出口から隔離した際に発生する球零れを防止する球零れ防止手段を設けるのが好ましい。
【００１５】
前記球零れ防止手段は導出口からの球零れを防止する可動部材及びばね等の付勢部材を有し、可動部材は中枠との接触により付勢部材の付勢に抗して導出口から遊技球を流出可能とし、中枠との接触から解放されることにより付勢部材の付勢により可動して導出口からの流出を阻止する。可動部材により直接導出口を閉鎖するようにしてもよい。
【００１６】
また、前記球零れ防止手段は中枠の連結口近傍に設けられる貯留球を検出する検出手段であり、前記検出手段の検出により払出手段による払出しを制御するのが好ましい。このとき払出される残りの遊技球を記憶する記憶手段を備えるのが好ましい。
【発明の効果】
【００１７】
本発明は、外枠の側枠部材に所定量の遊技球を貯留する貯留部を形成することにより、中央役物の設置領域を遊技盤の上方向に限りなく拡大させることができる。このため、中央役物を設置場所に囚われることなく設けることができ、遊技者の興趣を高めるパチンコ遊技機を提供することができる。
【発明を実施するための最良の形態】
【００１８】
本発明のパチンコ遊技機について図面を参照して説明する。図１はパチンコ遊技機の正面図、図２はパチンコ遊技機の裏面図である。パチンコ遊技機は、外枠１の前面に遊技盤４を備えた中枠２がヒンジ機構３を介して水平方向へ片開き自在に蝶着され、その前面に遊技盤４が視認できる窓孔を開設した前面扉５が正面左側を枢支して開閉自在に設けられている。中枠２及び前面扉５は開放端が施錠機構６により施錠され、施錠機構６の解錠操作により中枠２及び前面扉５が開放されるように構成されている。前面扉５の下部には遊技球が貯留される供給皿を備えた上受皿７が飾り板を介して開閉自在に設けられ、その上受皿７の下部には上受皿７の余剰球が貯留される貯留皿と灰皿を備えた下受皿９が設けられている。また、下受皿９の右側方には打力を調整する発射ハンドル１０が設けられている。
【００１９】
遊技盤４は、ガイドレール２０によって遊技領域４ａが略円形に形成され、この遊技領域４ａのほぼ中央に図柄，数字を変動表示する表示部を備えた中央役物としての可変表示装置２１が設けられている。また、他の遊技領域４ａには始動入賞口２２，可変入賞装置２３，一般入賞口２４等の盤面部品が設けられ、遊技領域４ａの最下方には入賞口に入賞しなかった遊技球が流入するアウト球口２５が穿設されている。
【００２０】
中枠２の一側上下には外枠１に蝶着されるヒンジ機構３の可動ヒンジ部材３ａ，３ａが設けられている。そして、中枠２には遊技盤４を装着する遊技盤支持枠１１が形成されると共にその一側に先端が鈎状に形成された施錠フック６ａを備えた施錠機構６が設けられ、中枠２の裏面下方には供給及び排出される遊技球が流下する樋基板１３が設けられている。樋基板１３には入賞した遊技球を集める集合樋１４及び遊技盤４に打ち込まれた遊技球を回収する回収樋１５が設けられると共に、後述する球払出装置１２から払出された遊技球を上受皿７に導く誘導樋１６が設けられている。誘導樋１６の側壁には遊技球を受け入れる球入口１７が形成され、上受皿７からの溢れ球を下受皿９に導く溢出樋１８が設けられると共に球入口１７近傍に貯留した遊技球の有無を検知するセンサ１９が設けられている。（図５参照）
【００２１】
前記外枠１は、図３に示すように所定の厚みを有する上下枠体２６，２７と左右側枠体２８，２９を個々独立に成形して構成され、左右側枠体２８，２９の下部の前面に飾り板３０が装着される。
【００２２】
上枠体２６は、図３及び図４に示すように金属のベース板２６ａを外方に屈曲して所定の深さ及び幅を有する遊技球の貯留部３１が上面開放の箱型に形成され、その両側に左右側枠体２８，２９の上部を跨ぐ鉤状の支持片３２が設けられている。貯留部３１の底部は左側枠体２８に向かって緩やかに傾斜しており、下流側に球崩し部３３により貯留部３１の遊技球を一列に整流させる整流路３４が設けられ、整流端に球流出口３５が開設されている。上枠体２６にはホールにパチンコ遊技機を設置するための打釘可能な設置用固定部３６が設けられており、球崩し部３３も設置用固定部３６の一部をなしている。また、上枠体２６の後側面に貯留部３１に連通する供給口３７が設けられ、供給口３７に図示しない補給樋から蛇腹等のフレキシブルな補給管Ｈが接続され遊技球が補給され整流路３４に導かれる。さらに供給口３７の対向する貯留部３１の内側に供給口３７から流入する遊技球を下流側に誘導する弧状の誘導壁３６ａが設けられ、底壁に球切れ検知板６０が揺動自在に設けられている。なお、上枠体２６を金属板により形成するようにしたが、主原料として木の廃材及び木質系材料をチップ状に砕き、合成樹脂・接着剤等で所定の厚みに固めた所謂パーティクルボードにより形成してもよく、打釘可能な設置用固定部３６を一体に設けることができる。このとき、貯留部３１の内面に静電気除去及び磨耗防止のために薄い金属板等を貼設するのが好ましい。また、貯留部３１の開放部は蓋部材等で閉塞するようにしてもよい。
【００２３】
左右側枠体２８，２９及び下枠体２７は金属のベース板２７ａ〜２９ａを内方にコ字型に屈曲して所定の厚みを有する収容空間３８が形成されている。右側枠体２９には施錠機構６の上下フック６ａ，６ａが係止する係止部３９，３９が切り起しにより一体に形成され、左側枠体２８にはヒンジ機構３の固定ヒンジ部材３ｂ，３ｂが一体に設けられている。また、左側枠体２８の収容空間３８に貸球又は賞球として所定数の遊技球を払出す払出手段として球払出装置１２を設けると共に、上枠体２６の球流出口３５と位置整合して貯留部３１からの遊技球を導入する導入口３９が開設された供給通路樋４０及び球払出装置１２から払出された遊技球を中枠２の上受皿７に導く導出口４１が開設された排出通路樋４２とを設けている。導入口３９は球流出口３５より拡径して形成され、中枠２のひずみ又は成形等により導入口３９と球流出口３５との位置関係にズレが生じても球止まりが発生しないようにしている。
【００２４】
球払出装置１２は図６に示すように、供給通路４０ａの最先の遊技球を制御する払出制御体４３と払出制御体４３を電気的に制御する電気的駆動源４４とで大略構成され、払出された遊技球を検知してカウントする検知手段としてのセンサ４５をケース体４６に備えている。また、供給通路４０ａ及び排出通路４２ａはベース板２８ａに沿って蛇行して設けられ、払出制御体４３はベース板２８ａに沿って可動するように設けられているため、薄型の枠体内で払出処理が確実に行われる。この実施例において払出制御体４３は円盤状の樹脂板の周囲に遊技球の球受部４３ａを複数設けたスプロケットタイプの回転体であり、電気的駆動源としての電磁石４４の消励磁によりストッパ４４ａが回転体４３の回転範囲に進退することにより回転を制御している。つまり、払出制御基板からの払出信号により電磁石４４が励磁して図６鎖線に示すようにストッパ４４ａが回転体４３の回転範囲から後退して回転体４３がフリーとなり球荷重により回転して遊技球を排出通路４２ａに払出す。そして、センサ４５により所定個数の遊技球が計数されると電磁石４４が消磁して同図実線に示すようにストッパ４４ａが回転体４３の回転範囲に入り込み球受部４３ａに係止して回転体４３を停止させる。なお、球払出装置１２はこの実施例に限定されるものではなく、電気的駆動源を薄型モータ・ソレノイドとしたり払出制御体を揺動又はスライド自在に設けたりして球止部が供給通路に進退して遊技球の払出を制御するようにしてもよい。また、貯留部３１から複数条（例えば２条）で遊技球を供給するようにした場合には、供給通路４０ａに２条の球通路を１条に整流する整流装置を設けて球払出装置１２に１条で供給するようにすればよい。さらに球払出装置１２に供給通路樋４０及び排出通路樋４２を備えるようにしてもよく、このときケース体４６自体により側枠体を構成するようにしてもよい。
【００２５】
また、中枠２との連通部である導出口４１近傍には中枠２を開放した際の球零れを防止する球零れ防止手段を設けている。本実施例において球零れ防止手段は、排出通路４２ａの終端底壁に可動部材４５を導出口４１側が揺動するように揺動軸４６に軸支して、付勢部材としてのねじりコイルばね４７を揺動軸４６に巻装して導出口４１と逆方向に下傾するように付勢している。可動部材４５は排出通路４２ａの底壁となる板状部４５ａと中枠２（誘導樋１６）との接触により板状部４５ａを導出口４１に向かって下傾させるガイド部４５ｂとを有して略く字状に形成されている。そして、中枠２が閉鎖した状態では図５に示すようにガイド部４５ｂが誘導樋１６に接触して押されることにより可動部材４５が下向き回動し、球払出装置１２から払出された遊技球が誘導樋１６を介して上受皿７に導かれる。これに対して、同図鎖線に示すように中枠２を開放するとガイド部４５ｂが中枠２（誘導樋１６）との接触から解放されコイルばね４７の付勢により可動部材４５の導出口４１側が上動して導出口４１からの球零れを防止する。このとき誘導樋１６側の遊技球は誘導樋１６の底壁が受皿側に傾斜しているため球入口１７から零れ落ちることはない。なお、可動部材４５は導出口４１を直接閉塞する閉止部を備えるようにしてもよく、このとき可動部材４５は揺動式に限定されるものではなくスライド式又回動式であってもよく、さらに可動部材４５の軸支方向（移動方向）も限定されるものではない。また、可動部材４５を自重で下動するように設けたものに関しては必ずしも付勢部材を必要とすることはなく、中枠２（誘導樋１６）との接触により可動部材４５の荷重に抗して可動部材４５を上動させるようにすればよい。
【００２６】
また、下枠体２７及び左右側枠体２８，２９の収容空間３８には各種基板が収容される収容部３８ａが金属の基板ベース２７ａ〜２９ａを切り起こした位置決め片５５により区画形成されている。実施例において左側枠体２８の下方に払出制御基板４８及び発射制御基板４９が収納され、右側枠体２９には音声・ランプ制御基板５０及び音声・ランプドライブ基板５１が収納され、下枠体２７には電源基板５２が収納されている。夫々の基板４８（４９〜５２）は図７に示すように基板ボックスＢに収納され、基板ボックスＢは基板を支持する金属製の主体５３と、基板の各電子部品実装面を被覆するカバー体５４とから構成され、主体５３の底面には、基板を止着するための取付ボスが突設形成されている。基板ボックスＢは基板ボックスの取付片５４ａ及び位置決め片５５を屈曲して形成した取着片５５ａの係合孔に係止具５６を係合させることにより枠体２７〜２９に取付けられるが、ビス着等他の取付手段により取付けるようにしてもよい。また、右側枠体２９に収納された基板の配線は、下枠体２７（飾り板３０）に沿って配設される補強用の中空状横桟５７内に収納され、ヒンジ機構３側の左側枠体２８で中枠２側の配線と接続される。このように、枠体内に基板を収納することで、基板を保護することができると共に中枠２の後面が嵩張らずすっきりさせることができる。さらに、配線の接続箇所をヒンジ機構３側にまとめることで配線の作業性が向上する。また、実施例のように枠体２６〜２９を金属のベース板２６ａ〜２９ａにより形成することにより、静電気をアースして除去することができるため、基板にとって最も重要な静電気のノイズ問題を解決することができる。
【００２７】
また、図８に示すように枠体２７〜２９を基板ボックスＢの主体５３として、枠体２７〜２９に各基板４８（４９〜５２）を直接取付けて、基板を視認可能に構成したカバー体５４で覆い封止することで枠体２７〜２９自体を基板ボックスとしてもよい。枠体２７〜２９に複数の基板を備える場合には、基板毎に区画する区画壁を設けるのが好ましく、区画壁はカバー体５４に設けてもベース板２７ａ〜２９ａ側に設けてもよい。カバー体５４を基板が視認可能な構成とすることで、中枠２の開放時に外枠１に設けられた基板の実装面すべてが視認可能となり、基板に対する不正改造が容易に発見できると共に基板に対する不正防止と保守点検作業の容易化を図ることができる。なお、下枠体２７及び左右側枠体２８，２９は合成樹脂により形成するようにしてもよく、予め収容部３８ａを形成する区画壁を一体に形成することで補強を兼ねるようにしてもよい。収納部３８ａは必ずしも方形状である必要はなく、区画壁を斜め状に設けて枠体の強度を高めるようにして、それにともない基板を台形，三角形等に変形すればよい。また、基板は実施例に限定されるものではなく、遊技球等貸出装置接続端子板などの中継基板を収容部３８ａに収納するようにしてもよい。
【００２８】
また、右側枠体２９の前面内側に中枠２の開放を検知する検知装置６１が設けられており、検知装置６１の検知により中枠２の開放をランプ表示等により報知すると共に球払出装置１２の払出動作を停止させる。検知装置６１は中枠２からの押圧状態を検知することで外枠１と中枠２との閉鎖状態を検知する一方、中枠２からの押圧の解除状態を検知することで外枠１と中枠２との開放状態を検知する検知センサを備えている。検知センサは光学式であってもマイクロスイッチ，リードスイッチであってもよい。中枠２の開放側である右側枠体２９の幅員内に中枠２の開放を検知する検知装置６１を設けることにより、中枠２を開放して行う不正に対して僅かな開放動作もすぐに反応し検知することができ、不正行為を未然に防止することができる。
【００２９】
上記のように構成された外枠１は、ビス，連結具等により方形枠状に組立てられる。この実施例においてパチンコ遊技機は、遊技球の貯留部３１を上枠体２７に形成することにより、遊技盤４の裏面上方に邪魔となるものがなくなり広いスペースを確保することができ、中央役物を上方に拡大させることが可能となる。また、側枠体２８，２９に供給通路樋４０及び球払出装置１２等を設けることにより、遊技盤４の横方向のスペースも広く確保することができると共にパチンコ遊技機に貯留される遊技球がすべて外枠１に貯留されるため、中枠２に荷重がかかることがなくヒンジの負荷も軽減される。さらに、枠体内に再利用可能な制御基板等を収納することで、中枠２又は遊技盤４に設けられた最小限のものを交換するだけで、機種変更をすることが可能となる。また、外枠１を予めホールの島に設備の一部として設置することもできるという副次的な効果を奏する。このとき、ヒンジ機構３及び施錠機構６を標準化することで、中枠を交換するだけでデザイン変えした機種変更ができるため優れた経済効果を発揮する。
【００３０】
なお、貯留部３１の形状構成は実施例に限定されるものではなく、整流路３４を下流に向かうに従い深くなる仕切り壁により複数列で整列して供給するようにしてもよい。また、図９に示すように貯留部３１の底部に開口を開設して別途形成した整列樋６１を設けてもよく、整列樋６１は下流に向かうに従い深くなる側壁を有して上流端を軸着して設けられている。このとき整列樋６１の軸支部に弾性部材としてのスプリング６２を巻装して、常態では整列樋６１が貯留部３１内に収納されるように付勢しており、遊技球の荷重により図９鎖線に示す所定位置に下動して球流出口３５が導入口３９と合致して遊技球が供給可能となる。また、整列樋６１を球切れ検出手段として、上枠体２６に整列樋６１の揺動により球切れを検知する検知スイッチ６３を備えると共に整流樋６１に作動片６４を設けることで、整列樋６１の揺動により球切れを検知することができる。なお、整列樋６１の下動位置を規制する下動規制手段を設けるのが好ましい。
【００３１】
また、球零れ防止手段は前記実施例のように必ずしも機構的な構成を必要とするものではなく、球入口１７近傍に設けたセンサ１９が貯留球を検出することにより払出制御基板から払出手段１２の払出しを停止制御するようにしてもよい。このように制御することにより、誘導樋１６から導出口４１に跨って遊技球が貯留されることがないので、中枠２を開放しても球零れが生じることがなく遊技者に損失を与えることがない。このとき、未払いの遊技球を記憶手段に記憶し、貯留球が減少してセンサ１９で検出されなくなると球払出装置１２を作動させて記憶手段に記憶された遊技球を払出すようにするのがよい。さらに、中枠２の開放を検知する検知装置６１の検知により払出手段１２の払出しを停止制御するのが好ましく、遊技球の払出し中であっても中枠２を開放すると払出しが確実に停止されるため球零れが生じることがない。
【図面の簡単な説明】
【００３２】
【図１】パチンコ遊技機の正面図である。
【図２】パチンコ遊技機の裏面図である。
【図３】外枠の分解斜視図である。
【図４】上枠体の平面図である。
【図５】側枠体の要部断面図である。
【図６】球払出装置の断面図である。
【図７】側枠体の要部断面図である。
【図８】他の実施例を示す側枠体の要部断面図である。
【図９】他の実施例を示す上枠体の平面図である。
【符号の説明】
【００３３】
１                外枠
２                中枠
３                ヒンジ機構
４                遊技盤
１２              球払出装置（払出手段）
２６              上枠体
２７              下枠体
２８              左側枠体
２９              右側枠体
３１              貯留部
３４              整流路
３７              接続口
４０              供給通路樋
Ｈ                補給管
【図１】
2007130302.tif 000003
【図２】
2007130302.tif 000004
【図３】
2007130302.tif 000005
【図４】
2007130302.tif 000006
【図５】
2007130302.tif 000007
【図６】
2007130302.tif 000008
【図７】
2007130302.tif 000009
【図８】
2007130302.tif 000010
【図９】
2007130302.tif 000011